(57)【要約】【解決手段】扉Ｄの開閉向きが変更可能な両側開閉可能扉構造Ｖにおいて、該両側開閉可能扉構造を、上部ロック杆２が取着された上部ロック杆移動体１と、下部ロック杆２’が取着された下部ロック杆移動体１’と、前記上部ロック杆移動体に形成された窓部１ｆと前記下部ロック杆移動体に形成された窓部１ｆ’とが重なる間隙Ａ１に嵌合されるカム部ｈ４を有する把手部材Ｈとにより構成し、前記把手部材を構成するカム部が水平状態においては、前記扉と筐体Ｎが施錠され、また、前記把手部材を構成するカム部が垂直状態においては、前記扉と筐体との施錠が解除されるように構成したものである。【効果】従来のリンク機構からなる両側開閉可能扉構造に比べて、リンク機構に特有な死点が存在しないので、筐体への扉の開閉を、円滑に行うことができる。【選択図】図７
2010242295.tif 000002
【特許請求の範囲】
【請求項１】
扉の開閉向きが変更可能な両側開閉可能扉構造において、該両側開閉可能扉構造が、上部ロック杆が取着された上部ロック杆移動体と、下部ロック杆が取着された下部ロック杆移動体と、前記上部ロック杆移動体に形成された窓部と前記下部ロック杆移動体に形成された窓部とが重なる間隙に嵌合されるカム部を有する把手部材とにより構成されているとともに、前記把手部材を構成するカム部が水平状態においては、前記扉と筐体が施錠され、また、前記把手部材を構成するカム部が垂直状態においては、前記扉と筐体との施錠が解除されるように構成されていることを特徴とする両側開閉可能扉構造。
【発明の詳細な説明】
【技術分野】
【０００１】
本発明は、筐体に配設された扉構造に関するものであり、特に、扉の回動支点を、左右（扉を正面から見た場合）に、選択的に切り替え可能とすることにより、扉の開閉向きが変更可能な両側開閉可能扉構造に関するものである。
【背景技術】
【０００２】
上述したような、扉の回動支点を、選択的に切り替え可能とすることにより、扉の開閉向きが変更可能な両側開閉可能扉構造は、一例として、特許文献１に開示されている。
【先行技術文献】
【特許文献】
【０００３】
【特許文献１】実用新案登録第３１０４５１９号公報
【発明の概要】
【発明が解決しようとする課題】
【０００４】
上述した両側開閉可能扉構造においては、複数のリンクからなる一対のリンク機構を、扉の左右に配設するとともに、一対のリンク機構に対応して、筐体の左右に、リンク機構により上下動される扉の回動支点となる枢支軸の先端部が、選択的に、挿入或いは排出可能な受け孔を穿設することにより、扉の開閉向きが変更可能な両側開閉可能扉構造が開示されているが、枢支軸の上下動が、複数のリンクからなるリンク機構により行われているために、リンク機構に特有な死点が存在し、円滑な枢支軸の上下動ができないという問題があった。
【０００５】
また、上述したような死点を回避するために、リンク機構の構造や配置位置が制限されるという問題があった。
【０００６】
更に、リンク機構を有する両側開閉可能扉構造においては、その構成が複雑であるために、扉の筐体への取り付け作業に、熟練と時間がかかるという問題があった。
【０００７】
本発明は、上述した従来の両側開閉可能扉構造が有する課題を解決することにある。
【課題を解決するための手段】
【０００８】
本発明は、上述した目的を達成するために、扉の開閉向きが変更可能な両側開閉可能扉構造において、該両側開閉可能扉構造を、上部ロック杆が取着された上部ロック杆移動体と、下部ロック杆が取着された下部ロック杆移動体と、前記上部ロック杆移動体に形成された窓部と前記下部ロック杆移動体に形成された窓部とが重なる間隙に嵌合されるカム部を有する把手部材とにより構成し、前記把手部材を構成するカム部が水平状態においては、前記扉と筐体が施錠され、また、前記把手部材を構成するカム部が垂直状態においては、前記扉と筐体との施錠が解除されるように構成したものである。
【発明の効果】
【０００９】
扉の開閉向きが変更可能な両側開閉可能扉構造において、該両側開閉可能扉構造を、上部ロック杆が取着された上部ロック杆移動体と、下部ロック杆が取着された下部ロック杆移動体と、前記上部ロック杆移動体に形成された窓部と前記下部ロック杆移動体に形成された窓部とが重なる間隙に嵌合されるカム部を有する把手部材とにより構成し、前記把手部材を構成するカム部が水平状態においては、前記扉と筐体が施錠され、また、前記把手部材を構成するカム部が垂直状態においては、前記扉と筐体との施錠が解除されるように構成したので、従来のリンク機構からなる両側開閉可能扉構造に比べて、リンク機構に特有な死点が存在しないので、筐体への扉の開閉を、円滑に行うことができる。
【００１０】
また、扉の開閉向きが変更可能な両側開閉可能扉構造において、該両側開閉可能扉構造を、上部ロック杆が取着された上部ロック杆移動体と、下部ロック杆が取着された下部ロック杆移動体と、前記上部ロック杆移動体に形成された窓部と前記下部ロック杆移動体に形成された窓部とが重なる間隙に嵌合されるカム部を有する把手部材とにより構成したので、両側開閉可能扉構造の構造を簡素化することができ、従って、扉の筐体への取り付け作業にかかる時間を短縮化することができる。
【図面の簡単な説明】
【００１１】
【図１】図１は、本発明の両側開閉可能扉構造が配設された扉と筐体の正面図である。
【図２】図２は、本発明の両側開閉可能扉構造の分解斜視図である。
【図３】図３は、本発明の両側開閉可能扉構造を構成する把手部材の斜視図である。
【図４】図４は、本発明の両側開閉可能扉構造を構成する施錠部材の斜視図である。
【図５】図５は、本発明の両側開閉可能扉構造を構成するケーシングに施錠部材が収容された状態の斜視図である。
【図６】図６は、本発明の両側開閉可能扉構造等の拡大分解斜視図である。
【図７】図７は、本発明の両側開閉可能扉構造が配設された扉と筐体の部分拡大正面図である。
【図８】図８は、図７と同様の本発明の両側開閉可能扉構造が配設された扉と筐体の部分拡大正面図である。
【図９】図９は、図１と同様の本発明の両側開閉可能扉構造が配設された扉と筐体の正面図である。
【図１０】図１０は、図１と同様の本発明の両側開閉可能扉構造が配設された扉と筐体の正面図である。
【実施例】
【００１２】
先ず最初に、図１及び図２を用いて、扉Ｄに取り付けられる両側開閉可能扉構造Ｖを構成する施錠部材Ｓと把手部材ＨとケーシングＣについて説明する。なお、図１において、Ｎは、扉Ｄが取り付けられる筐体である。
【００１３】
なお、施錠部材Ｓと把手部材ＨとケーシングＣとからなる両側開閉可能扉構造Ｖは、扉Ｄを正面から見た場合に、扉Ｄの左右両側付近に、一対、それぞれ取り付けられることになるが、扉Ｄの左右両側付近に、それぞれ取り付けられる両側開閉可能扉構造Ｖの構成は、同じであるので、一方の両側開閉可能扉構造Ｖについてのみ説明する。
【００１４】
１は、施錠部材Ｓを構成する板材からなる上部ロック杆移動体であり、上部ロック杆移動体１は、額縁状枠体１ａと、額縁状枠体１ａを構成する相対する垂直側部１ａ１の一方の垂直側部１ａ１の上端部に、額縁状枠体１ａと面一に形成された上部張出体１ｂとを有しており、上部張出体１ｂの上部１ｂ１は、額縁状枠体１ａを構成する上部水平部１ａ２を越えて上方に突出しており、また．上部張出体１ｂの下部１ｂ２は、スリット１ｃを介して、上記一方の垂直側部１ａ１から離れて形成されている。なお、上部張出体１ｂの下部１ｂ２の下端は、額縁状枠体１ａを構成する下部水平部１ａ３付近まで延在している。また、額縁状枠体１ａを構成する下部水平部１ａ３の水平上端には、下部水平部１ａ３に垂直に水平方向に延在する下部水平リブ１ｄが形成されている。更に、上部張出体１ｂの上端部には、透孔１ｅが穿設されている。
【００１５】
１’は、施錠部材Ｓを構成する板材からなる、上述した上部ロック杆移動体１と同様の下部ロック杆移動体であり、下部ロック杆移動体１’は、額縁状枠体１ａ’と、額縁状枠体１ａ’を構成する相対する垂直側部１ａ１’の一方の垂直側部１ａ１’の下端部に、額縁状枠体１ａ’と面一に形成された下部張出体１ｂ’とを有しており、下部張出体１ｂ’の下部１ｂ１’は、額縁状枠体１ａ’を構成する下部水平部１ａ３’を越えて下方に突出しており、また．下部張出体１ｂ’の上部１ｂ２’は、スリット１ｃ’を介して、上記一方の垂直側部１ａ１’から離れて形成されている。なお、下部張出体１ｂ’の上部１ｂ２’の上端は、額縁状枠体１ａ’を構成する上部水平部１ａ２’付近まで延在している。また、額縁状枠体１ａ’を構成する上部水平部１ａ２’の水平下端には、上部水平部１ａ２’に垂直に水平方向に延在する上部水平リブ１ｄ’が形成されている。更に、下部張出体１ｂ’の下端部には、透孔１ｅ’が穿設されている。
【００１６】
２は、上部ロック杆であり、上部ロック杆２の下端部には、下部取付板部２ａが形成されており、下部取付板部２ａには、透孔２ａ１が穿設されている。上部ロック杆２の下部取付板部２ａに穿設された透孔２ａ１と上部ロック杆移動体１の上部張出体１ｂに穿設された透孔１ｅとを整合させた後、上部ロック杆２の下部取付板部２ａに穿設された透孔２ａ１と上部ロック杆移動体１の上部張出体１ｂに穿設された透孔１ｅとに、雌固着具３を挿通し、その後、雌固着具３に、雄固着具４を取着することにより、上部ロック杆２が、上部ロック杆移動体１に取り付けられるように構成されている。なお、雌固着具３と雄固着具４とを、ボルトとナットとすることもでき、また、上部ロック杆移動体１と上部ロック杆２とを、溶接や鋲等の他の種々の手段により、一体的に連結することもできる。
【００１７】
２’は、下部ロック杆であり、下部ロック杆２’の上端部には、上部取付板部２ａ’が、形成されており、上部取付板部２ａ’には、透孔２ａ１’が穿設されている。下部ロック杆２’の上部取付板部２ａ’に穿設された透孔２ａ１’と下部ロック杆移動体１’の下部張出体１ｂ’に穿設された透孔１ｅ’とを整合させた後、下部ロック杆２’の上部取付板部２ａ’に穿設された透孔２ａ１’と下部ロック杆移動体１’の下部張出体１ｂ’に穿設された透孔１ｅ’とに、雌固着具３を挿通し、その後、雌固着具３に、雄固着具４を取着することにより、下部ロック杆２’が、下部ロック杆移動体１’に取り付けられるように構成されている。なお、雌固着具３と雄固着具４とを、ボルトとナットとすることもでき、また、下部ロック杆移動体１’と下部ロック杆２’とを、溶接や鋲等の他の種々の手段により、一体的に連結することもできる。
【００１８】
ケーシングＣは、略方形状の前板ｃ１と、前板ｃ１の上端から前板ｃ１に垂直に延在する上部水平板ｃ２と、前板ｃ１の下端から前板ｃ１に垂直に延在する下部水平板ｃ３と、上部水平板ｃ２と下部水平板ｃ３の両端縁を連結する相対する垂直側壁板ｃ４とから、一方が開放された箱型に形成されている。上部水平板ｃ２の一方の垂直側壁板ｃ４側には、上述した上部ロック杆移動体１に形成された上部張出体１ｂの上部１ｂ１が嵌合可能な切欠部ｃ２ａが形成されており、また、下部水平板ｃ３の上述した一方の垂直側壁部ｃ４側には、上述した下部ロック杆移動体１’に形成された下部張出体１ｂ’の下部１ｂ１’が嵌合可能な切欠部ｃ３ａが、上部張出体１ｂの上部１ｂ１に形成された切欠部ｃ２ａと対向するように形成されている。更に、前板ｃ１の略中央部には、透孔ｃ１ａが穿設されている。
【００１９】
ｃ５は、ケーシングＣを構成する上部水平板ｃ２の先端縁の略中央部から、上方に立設された上部取付垂直フランジであり、上部取付垂直フランジｃ５には、ネジ孔ｃ５ａが穿設されている。また、ｃ６は、ケーシングＣを構成する下部水平板ｃ３の先端縁の略中央部から、下方に垂設された下部取付垂直フランジであり、下部取付垂直フランジｃ６には、ネジ孔ｃ６ａが穿設されている。
【００２０】
Ｅは、コイルスプリングであり、コイルスプリングＥの上部孔部ｅ１には、上部ロック杆移動体１を構成する上部張出体１ｂの下部１ｂ２が挿入されるように構成されており、また、コイルスプリングＥの下部孔部ｅ２には、下部ロック杆移動体１’を構成する下部張出体１ｂ’の上部１ｂ２’が挿入されるように構成されている。
【００２１】
次に、図２と図３を用いて、把手部材Ｈについて説明する。
【００２２】
把手部材Ｈは、正面形状が略菱形状の横長基部ｈ１と、横長基部ｈ１の一方の側面に取着された円盤部ｈ２と、円盤部ｈ２の側面に取り付けられた円筒状案内部ｈ３と、円筒状案内部ｈ３の横長基部ｈ１に沿った直径に沿って、円筒状案内部ｈ３に形成された角柱状のカム部ｈ４と、カム部ｈ４の中心に形成された、内面にネジ溝ｈ５ａが刻設されているネジ筒部ｈ５と、横長基部ｈ１のもう一方の側面（円盤部ｈ２が取着されている側面と反対側の側面）に、横長基部ｈ１の長手方向に沿って取着された横長ブロック部ｈ６と、横長ブロック部ｈ６の相対する側面ｈ６ａに、適当なピンｈ７ａを介して取り付けられた略Ｕ字状の把手部ｈ７とを有している。
【００２３】
円筒状案内部ｈ３に形成された略角柱状のカム部ｈ４は、その先端部が、円筒状案内部ｈ３の先端ｈ３ａを越えて延在している。また、カム部ｈ４は、把手部材Ｈの横長基部ｈ１に沿った相対する長側壁ｈ４ａと、相対する長側壁ｈ４ａに対して略垂直な相対する短側壁ｈ４ｂとを有しており、把手部材Ｈの横長基部ｈ１に沿った、相対する長側壁ｈ４ａは、円筒状案内部ｈ３の内壁ｈ３ｂに連結され、円盤部ｈ２まで延在している。更に、相対する短側壁ｈ４ｂの外壁ｈ４ｂ’は、円筒状案内部ｈ３の外壁ｈ３ｃと面一に形成されている。このように構成することにより、把手部材Ｈの横長基部ｈ１の長手方向とカム部ｈ４の長手方向（長側壁ｈ４ａ方向）とが一致するように構成されている。
【００２４】
次に、図２及び図４を用いて、施錠部材Ｓの組み立てについて説明する。
【００２５】
上述したように、上部ロック杆２が取着された上部ロック杆移動体１と、下部ロック杆２’が取着された下部ロック杆移動体１’とを、上部ロック杆移動体１の窓部１ｆと下部ロック杆移動体１’の１ｆ’とが部分的に重なるように配置する。この際、下部ロック杆移動体１’を構成する額縁状枠体１ａ’の上部水平部１ａ２’の水平下端に形成された上部水平リブ１ｄ’が、上部ロック杆移動体１の窓部１ｆに挿入されるとともに、下部ロック杆移動体１’を構成する額縁状枠体１ａ’の上部水平部１ａ２’の水平下端に形成された上部水平リブ１ｄ’と、上部ロック杆移動体１を構成する額縁状枠体１ａの下部水平部１ａ３の水平上端に形成された下部水平リブ１ｄとが、対向するように構成されている。また、上部ロック杆移動体１を構成する上部張出体１ｂの下部１ｂ２と、下部ロック杆移動体１’を構成する下部張出体１ｂ’の上部１ｂ２’とを、互いに重なるように配置するとともに、上部張出体１ｂの下部１ｂ２を、コイルスプリングＥの上部孔部ｅ１から挿入し、また、下部張出体１ｂ’の上部１ｂ２’を、コイルスプリングＥの下部孔部ｅ２に挿入することにより、上部ロック杆移動体１を構成する上部張出体１ｂと下部ロック杆移動体１’を構成する下部張出体１ｂ’との間に、重ねられた上部張出体１ｂの下部１ｂ２と下部張出体１ｂ’の上部１ｂ２’とを覆うように、コイルスプリングＥを配置する。
【００２６】
上述したように、上部ロック杆移動体１を構成する上部張出体１ｂの下部１ｂ２と、下部ロック杆移動体１’を構成する下部張出体１ｂ’の上部１ｂ２’とを、互いに重なるように配置するとともに、上部張出体１ｂの下部１ｂ２を、コイルスプリングＥの上部孔部ｅ１から挿入し、また、下部張出体１ｂ’の上部１ｂ２’を、コイルスプリングＥの下部孔部ｅ２に挿入するした際には、図４に示されているように、コイルスプリングＥは、その弾勢力により、コイルスプリングＥが最大に伸長した状態にあり、この状態においては、上部ロック杆移動体１の額縁状枠体１ａを構成する下部水平部１ａ３の水平上端に形成された下部水平リブ１ｄと、下部ロック杆移動体１’の額縁状枠体１ａ’を構成する上部水平部１ａ２’に形成された上部水平リブ１ｄ’との間に、上部ロック杆移動体１の窓部１ｆと下部ロック杆移動体１’の１ｆ’とが部分的に重なった横長の間隙Ａ１が形成されることになる。この横長の間隙Ａ１には、把手部材Ｈを構成するカム部ｈ４の長手方向が略水平状態、換言すれば、カム部ｈ４の相対する長側壁ｈ４ａが略水平状態において、嵌合されるように構成されている。
【００２７】
次に、上述したようにして組み立てられた、上部ロック杆２が取着された上部ロック杆移動体１と下部ロック杆２’が取着された下部ロック杆移動体１’とコイルスプリングＥとのうち、上部ロック杆移動体１と下部ロック杆移動体１’とコイルスプリングＥとを、図５に示されているように、ケーシングＣ内に収容する。この際、上部ロック杆移動体１を構成する上部張出体１ｂの上部１ｂ１が、ケーシングＣの上部水平板ｃ２に形成された切欠部ｃ２ａに嵌合され、また、下部ロック杆移動体１’を構成する下部張出体１ｂ’の下部１ｂ１’が、ケーシングＣの下部水平板ｃ３に形成された切欠部ｃ３ａに嵌合されるように構成されている。
【００２８】
なお、図６において、ｄ１は、扉Ｄの正面板ｄ２に穿設された円形状の嵌合孔であり、嵌合孔ｄ１には、把手部材Ｈを構成する円筒状案内部ｈ３が嵌合されるように構成されている。ｄ３は、嵌合孔ｄ１を挟んで、上下に、扉Ｄの正面板ｄ２に穿設されたボルト挿入孔である。
【００２９】
扉Ｄの正面板ｄ２の内面（扉Ｄが配設される筐体Ｎの内部側に位置する面）ｄ２ａに、上部ロック杆移動体１と下部ロック杆移動体１’とコイルスプリングＥとが収容されたケーシングＣが、扉Ｄの正面板ｄ２に穿設された嵌合孔ｄ１を塞ぐように配置するとともに、扉Ｄの正面板ｄ２の外面（扉Ｄが配設される筐体Ｎの外側に位置する面）ｄ２ｂに、把手部材Ｈを配置する。
【００３０】
次いで、把手部材Ｈを構成する円筒状案内部ｈ３を、扉Ｄの正面板ｄ２に穿設された嵌合孔ｄ１に嵌合するとともに、把手部材Ｈの横長基部ｈ１を水平状態に維持した状態で、上部ロック杆移動体１の額縁状枠体１ａを構成する下部水平部１ａ３の水平上端に形成された下部水平リブ１ｄと、下部ロック杆移動体１’の額縁状枠体１ａ’を構成する上部水平部１ａ２’に形成された上部水平リブ１ｄ’との間に形成された横長の間隙Ａ１に、把手部材Ｈを構成する水平状態のカム部ｈ４を嵌合する。
【００３１】
その後、１本のボルトＢ１のネジ部ｂ１を、扉Ｄの正面板ｄ２に穿設されたボルト挿入孔ｄ３に挿入し、ボルトＢ１のネジ部ｂ１を、ケーシングＣを構成する上部取付垂直フランジｃ５に穿設されたネジ孔ｃ５ａに螺合させるとともに、もう１本のボルトＢ２のネジ部ｂ２を、扉Ｄの正面板ｄ２に穿設されたボルト挿入孔ｄ３に挿入し、ボルトＢ２のネジ部ｂ２を、ケーシングＣを構成する下部取付垂直フランジｃ６に穿設されたネジ孔ｃ６ａに螺合させることにより、上部ロック杆移動体１と下部ロック杆移動体１’とコイルスプリングＥとが収容されたケーシングＣを、扉Ｄの正面板ｄ２の内面ｄ２ａに取り付ける。
【００３２】
更に、扉Ｄの正面板ｄ２の内面ｄ２ａ側から、ボルトＢ３のネジ部ｂ３を、適当なワッシャーＷ１を介して、ケーシングＣの前板ｃ１の略中央部に穿設された透孔ｃ１ａに挿入するとともに、把手部材Ｈを構成するネジ筒部ｈ５のネジ溝ｈ５ａに螺合させることにより、把手部材Ｈを、扉Ｄの正面板ｄ２を介して、上部ロック杆移動体１と下部ロック杆移動体１’とコイルスプリングＥとが収容されたケーシングＣに取着する。
【００３３】
図７に示されているように、把手部材Ｈの横長基部ｈ１を水平状態に維持した状態で、換言すれば、把手部材Ｈを構成するカム部ｈ４の相対する長側壁ｈ４ａが略水平状態で、上部ロック杆移動体１の額縁状枠体１ａを構成する下部水平部１ａ３の水平上端に形成された下部水平リブ１ｄと、下部ロック杆移動体１’の額縁状枠体１ａ’を構成する上部水平部１ａ２’に形成された上部水平リブ１ｄ’との間に形成された横長の間隙Ａ１に、把手部材Ｈを構成する水平状態のカム部ｈ４を嵌合され、コイルスプリングＥが最大に伸長された状態においては、上部ロック杆移動体１が、最上位置にあり、また、下部ロック杆移動体１’が、最下位置にあり、従って、上部ロック杆移動体１に取着された上部ロック杆２の上端部２ｂが、筐体Ｎの天部ｎ１に形成された凹部或いは透孔ｎ１ａに挿入されており、また、下部ロック杆移動体１’に取着された下部ロック杆２’の下端部２ｂ’が、筐体Ｎの底部ｎ２に形成された凹部或いは透孔ｎ２ａに挿入されるように構成されている。このようにして、筐体Ｎと扉Ｄとが施錠されるように構成されている。
【００３４】
また、図７に示されている把手部材Ｈの横長基部ｈ１が略水平状態から、換言すれば、把手部材Ｈを構成するカム部ｈ４の相対する長側壁ｈ４ａが略水平状態から、把手部材Ｈを９０度回転させて、図８に示されているように、把手部材Ｈの横長基部ｈ１を略垂直状態、換言すれば、把手部材Ｈを構成するカム部ｈ４の相対する長側壁ｈ４ａが略垂直状態となるように回動させることにより、上部ロック杆移動体１と下部ロック杆移動体１’との間に配設されたコイルスプリングＥを圧縮させながら、上部ロック杆移動体１を下降させるとともに、下部ロック杆移動体１’を上動させることにより、上部ロック杆移動体１に取着された上部ロック杆２の上端部２ｂを、筐体Ｎの天部ｎ１に形成された凹部或いは透孔ｎ１ａから排出し、また、下部ロック杆移動体１’に取着された下部ロック杆２’の下端部２ｂ’を、筐体Ｎの底部ｎ２に形成された凹部或いは透孔ｎ２ａから排出するように構成されている。このようにして、筐体Ｎと扉Ｄとの施錠が解除されるように構成されている。
【００３５】
図１には、扉Ｄを正面から見て、扉Ｄの右側に配設された両側開閉可能扉構造Ｖを構成する把手部材Ｈの横長基部ｈ１を略水平とすることにより、換言すれば、把手部材Ｈのカム部ｈ４の相対する長側壁ｈ４ａを略水平状態とすることにより、両側開閉可能扉構造Ｖを介して、扉Ｄと筐体Ｎとが施錠された例が示されており、また、扉Ｄを正面から見て、扉Ｄの左側に配設された両側開閉可能扉構造Ｖを構成する把手部材Ｈの横長基部ｈ１を略垂直とすることにより、換言すれば、把手部材Ｈのカム部ｈ４の相対する長側壁ｈ４ａを略垂直状態とすることにより、両側開閉可能扉構造Ｖを介しての、扉Ｄと筐体Ｎとの施錠が解除されている場合が示されている。従って、筐体Ｎの天部ｎ１に形成された凹部或いは透孔ｎ１ａに挿入されている上部ロック杆２の上端部２ｂ及び筐体Ｎの底部ｎ２に形成された凹部或いは透孔ｎ２ａに挿入されている下部ロック杆２’の下端部２ｂ’を、枢支点として、扉Ｄを平面的に見て、反時計方向に回転させることができるように構成されている。
【００３６】
図９には、扉Ｄを正面から見て、扉Ｄの左側に配設された両側開閉可能扉構造Ｖの把手部材Ｈの横長基部ｈ１を略水平とすることにより、換言すれば、把手部材Ｈのカム部ｈ４の相対する長側壁ｈ４ａを略水平状態とすることにより、両側開閉可能扉構造Ｖを介して、扉Ｄと筐体Ｎとが施錠された例が示されており、また、扉Ｄを正面から見て、扉Ｄの右側に配設された両側開閉可能扉構造Ｖの把手部材Ｈの横長基部ｈ１を略垂直とすることにより、換言すれば、把手部材Ｈのカム部ｈ４の相対する長側壁ｈ４ａを略垂直状態とすることにより、両側開閉可能扉構造Ｖを介しての、扉Ｄと筐体Ｎとの施錠が解除されている場合が示されている。従って、筐体Ｎの天部ｎ１に形成された凹部或いは透孔ｎ１ａに挿入されている上部ロック杆２の上端部２ｂ及び筐体Ｎの底部ｎ２に形成された凹部或いは透孔ｎ２ａに挿入されている下部ロック杆２’の下端部２ｂ’を、枢支点として、扉Ｄを平面的に見て、時計方向に回転させることができるように構成されている。
【００３７】
図１０には、扉Ｄを正面から見て、扉Ｄの左側に配設された両側開閉可能扉構造Ｖの把手部材Ｈの横長基部ｈ１を略垂直とするとともに、扉Ｄを正面から見て、扉Ｄの右側に配設された両側開閉可能扉構造Ｖの把手部材Ｈの横長基部ｈ１を略垂直とすることにより、扉Ｄの左右両側付近に配設された両側開閉可能扉構造Ｖを介しての扉Ｄと筐体Ｎとの施錠を、共に、解除することにより、扉Ｄを、筐体Ｎから取り外すことができるように構成された例が示されている。
【符号の説明】
【００３８】
Ｃ・・・・・・・・・・・ケーシング
Ｄ・・・・・・・・・・・扉
Ｅ・・・・・・・・・・・コイルスプリング
Ｈ・・・・・・・・・・・把手部材
Ｓ・・・・・・・・・・・施錠部材
Ｖ・・・・・・・・・・・両側開閉可能扉構造
１・・・・・・・・・・・上部ロック杆移動体
１’・・・・・・・・・・下部ロック杆移動体
２・・・・・・・・・・・上部ロック杆
２’・・・・・・・・・・下部ロック杆
【図１】
2010242295.tif 000003
【図２】
2010242295.tif 000004
【図３】
2010242295.tif 000005
【図４】
2010242295.tif 000006
【図５】
2010242295.tif 000007
【図６】
2010242295.tif 000008
【図７】
2010242295.tif 000009
【図８】
2010242295.tif 000010
【図９】
2010242295.tif 000011
【図１０】
2010242295.tif 000012